【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
サービス処理方法であって：
サービス要求側に適用され、
サービス処理参照情報を含むサービス処理要求を生成するステップ（Ｓ１０１）と；
前記サービス処理要求をサービス処理側へ送信するステップ（Ｓ１０２）であって、前記サービス処理側が、前記サービス処理要求の受信後に、前記要求に含まれる前記サービス処理参照情報に基づいて、対応する格納場所を特定し（Ｓ１０４）、前記特定した格納場所に冪等性チェックを実行し、前記冪等性チェックの結果に基づいて現行サービスの処理を実行する（Ｓ１０５）、前記送信するステップと；を備え、
前記サービス処理参照情報は、データベース内での前記現行サービスの関連データの格納場所を特定するために、前記サービス処理側によって用いられ、
同一のサービスイベントについて繰り返し送信されるサービス処理要求は、同一のサービス処理参照情報を含む、
サービス処理方法。
【請求項２】
前記サービス処理参照情報は、時刻情報であり、
サービス処理参照情報を含むサービス処理要求を生成する前記ステップは：
前記サービス処理要求が同一のサービスイベントについて初めて送信される場合に、現在時刻情報を取得し、前記時刻情報を前記サービス処理要求に書き込むステップであって、前記サービスイベントについて再送される各々の後続の要求は前記時刻情報を含む、前記書き込むステップ；を備える、
請求項１に記載のサービス処理方法。
【請求項３】
前記サービス処理参照情報は、データベース実行モード情報であり、
データベースモードは、正常モードとフェイルオーバモードとを含み、
サービス処理参照情報を含むサービス処理要求を生成する前記ステップは：
前記サービス処理要求が同一のサービスイベントについて初めて送信される場合、前記サービス処理側により現在用いられているデータベース実行モード情報を取得し、前記データベース実行モード情報を前記サービス処理要求に書き込むステップであって、前記サービスイベントについて再送される各々の後続の要求は前記データベース実行モード情報を含む、前記書き込むステップ；を備える、
請求項２に記載のサービス処理方法。
【請求項４】
サービス処理方法であって：
サービス処理側に適用され、
サービス要求側により送信されるサービス処理要求を受信するステップ（Ｓ１０２）であって、前記サービス処理要求はサービス処理参照情報を含む、前記受信するステップと；
前記要求に含まれる前記サービス処理参照情報に基づいて、対応する格納場所を特定し（Ｓ１０４）、前記特定した格納場所に冪等性チェックを実行し、前記冪等性チェックの結果に基づいて現行サービスに処理を実行するステップ（Ｓ１０５）と；を備え、
前記サービス処理参照情報は、データベース内での前記現行サービスの関連データの格納場所を特定するために、前記サービス処理側によって用いられ、
前記サービス要求側により同一のサービスイベントについて繰り返し送信されるサービス処理要求は、同一のサービス処理参照情報を含む、
サービス処理方法。
【請求項５】
前記サービス処理参照情報は、時刻情報であり、
前記要求に含まれる前記サービス処理参照情報に基づいて、対応する格納場所を特定する前記ステップは：
前記要求に含まれる前記時刻情報に基づいて、前記時刻情報に対応する時刻ディメンションデータパーティションテーブルを特定するステップ；を備える、
請求項４に記載のサービス処理方法。
【請求項６】
前記サービス処理参照情報は、データベース実行モード情報であり、
データベースモードは、正常モードとフェイルオーバモードとを含み、
前記要求に含まれる前記サービス処理参照情報に基づいて、対応する格納場所を特定する前記ステップは：
前記要求に含まれる前記データベース実行モード情報に基づいて前記データベース実行モード情報に対応するデータベースを特定するステップ；を備える、
請求項４に記載のサービス処理方法。
【請求項７】
サービス処理デバイス（１００）であって、
サービス要求側に適用され、
請求項１〜３のいずれか１項の方法により、操作を実行するように構成された、複数のモジュール（１２０、１１０）を備える、
サービス処理デバイス。
【請求項８】
サービス処理デバイス（２００）であって、
サービス処理側に適用され、
請求項４〜６のいずれか１項の方法により、操作を実行するように構成された、複数のモジュール（２１０、２２０）を備える、
サービス処理デバイス。
【請求項９】
サービス処理システムであって、
前記システムは、請求項７のサービス要求側のデバイスと請求項８のサービス処理側のデバイスとを備える、
サービス処理システム。
【手続補正２】
【補正対象書類名】明細書
【補正対象項目名】００７８
【補正方法】変更
【補正の内容】
【００７８】
前述の説明は、本願の特定の実施に過ぎない。当業者は、本願の原理から逸脱することなく、いくつかの改良又は研磨を行うことができることに留意することは有益である。改良及び研磨は、本願の保護範囲内に入るものとする。
［第１の局面］
サービス処理方法であって：
サービス処理参照情報を含むサービス処理要求を、サービス要求側により生成し、前記サービス処理要求をサービス処理側へ送信するステップであって、前記サービス処理参照情報は、データベース内での現行サービスの関連データの格納場所を特定するために前記サービス処理側によって用いられ、同一のサービスイベントについて繰り返し送信されるサービス処理要求は同一の前記サービス処理参照情報を含む、前記送信するステップと；
前記サービス処理要求の受信後、前記要求に含まれる前記サービス処理参照情報に基づいて、対応する格納場所を、前記サービス処理側により特定し、前記特定した格納場所に冪等性チェックを実行し、前記冪等性チェックの結果に基づいて前記現行サービスに処理を実行するステップと；を備える、
サービス処理方法。
［第２の局面］
前記サービス処理参照情報は時刻情報であり；
サービス処理参照情報を含むサービス処理要求を生成する前記ステップは：
同一のサービスイベントについて前記サービス処理要求が初めて送信された場合に、現在時刻情報を取得し、前記時刻情報を前記サービス処理要求に書き込むステップであって、前記サービスイベントについて再送される各々の後続の要求は前記時刻情報を含む、前記書き込むステップを備え；
前記要求に含まれる前記サービス処理参照情報に基づいて、対応する格納場所を特定する前記ステップは：
前記要求に含まれる前記時刻情報に基づいて、前記時刻情報に対応する時刻ディメンションデータパーティションテーブルを特定するステップを備える；
第１の局面に記載の方法。
［第３の局面］
前記サービス処理参照情報はデータベース実行モード情報であり、データベースモードは正常モードとフェイルオーバモードとを含み；
サービス処理参照情報を含むサービス処理要求を生成する前記ステップは：
前記同一のサービスイベントについて前記サービス処理要求が初めて送信された場合に、前記サービス処理側により現在使用されているデータベース実行モード情報を取得し、前記データベース実行モード情報を前記サービス処理要求に書き込むステップであって、前記サービスイベントについて再送される各々の後続の要求は前記データベース実行モード情報を含む、前記書き込むステップを備え；
前記要求に含まれる前記サービス処理参照情報に基づいて、対応する格納場所を特定する前記ステップは：
前記要求に含まれる前記データベース実行モード情報に基づいて、前記データベース実行モード情報に対応するデータベースを特定するステップを備える；
第１の局面に記載の方法。
［第４の局面］
サービス処理方法であって：
サービス要求側に適用され；
サービス処理参照情報を含むサービス処理要求を生成するステップと；
前記サービス処理要求をサービス処理側へ送信するステップであって、前記サービス処理側が、前記サービス処理要求の受信後に、前記要求に含まれる前記サービス処理参照情報に基づいて、対応する格納場所を特定し、前記特定した格納場所に冪等性チェックを実行し、前記冪等性チェックの結果に基づいて現行サービスの処理を実行する、前記送信するステップと；
を備え、
前記サービス処理参照情報は、データベース内での前記現行サービスの関連データの格納場所を特定するために、前記サービス処理側によって用いられ、前記同一のサービスイベントについて繰り返し送信されるサービス処理要求は、同一のサービス処理参照情報を含む；
サービス処理方法。
［第５の局面］
前記サービス処理参照情報は時刻情報であり：
サービス処理参照情報を含むサービス処理要求を生成する前記ステップは：
前記サービス処理要求が前記同一のサービスイベントについて初めて送信された場合に、現在時刻情報を取得し、前記時刻情報を前記サービス処理要求に書き込むステップであって、前記サービスイベントについて再送される各々の後続の要求は前記時刻情報を含む、前記書き込むステップを備える；
第４の局面に記載の方法。
［第６の局面］
前記サービス処理参照情報はデータベース実行モード情報であり、データベースモードは正常モードとフェイルオーバモードとを含み；
サービス処理参照情報を含むサービス処理要求を生成する前記ステップは：
前記サービス処理要求が前記同一のサービスイベントについて初めて送信された場合、前記サービス処理側により現在用いられているデータベース実行モード情報を取得し、前記データベース実行モード情報を前記サービス処理要求に書き込むステップであって、前記サービスイベントについて再送された各々の後続の要求は前記データベース実行モード情報を含む、前記書き込むステップを備える；
第４の局面に記載の方法。
［第７の局面］
サービス処理方法であって：
サービス処理側に適用され：
サービス要求側により送信されたサービス処理要求を受信するステップであって、前記サービス処理要求はサービス処理参照情報を含む、前記受信するステップと；
前記要求に含まれる前記サービス処理参照情報に基づいて、対応する格納場所を特定し、前記特定した格納場所に冪等性チェックを実行し、前記冪等性チェックの結果に基づいて現行サービスに処理を実行するステップと；を備え、
前記サービス処理参照情報は、データベース内での前記現行サービスの関連データの格納場所を特定するために、前記サービス処理側によって用いられ、前記サービス要求側により前記同一のサービスイベントについて繰り返し送信されるサービス処理要求は、前記同一のサービス処理参照情報を含む、
サービス処理方法。
［第８の局面］
前記サービス処理参照情報は時刻情報であり；
前記要求に含まれる前記サービス処理参照情報に基づいて、対応する格納場所を特定する前記ステップは：
前記要求に含まれる前記時刻情報に基づいて、前記時刻情報に対応する時刻ディメンションデータパーティションテーブルを特定するステップを備える；
第７の局面に記載の方法。
［第９の局面］
前記サービス処理参照情報はデータベース実行モード情報であり、データベースモードは正常モードとフェイルオーバモードとを含み；
前記要求に含まれる前記サービス処理参照情報に基づいて、対応する格納場所を特定する前記ステップは：
前記要求に含まれる前記データベース実行モード情報に基づいて前記データベース実行モード情報に対応するデータベースを特定するステップを備える；
第７の局面に記載の方法。
［第１０の局面］
サービス処理デバイスであって：
サービス要求側に適用され：
サービス処理参照情報を含むサービス処理要求を生成するように構成された要求生成モジュールと；
前記サービス処理要求をサービス処理側へ送信するように構成された要求送信モジュールであって、前記サービス処理側が、前記サービス処理要求の受信後に、前記要求に含まれる前記サービス処理参照情報に基づいて、対応する格納場所を特定し、前記特定した格納場所に冪等性チェックを実行し、前記冪等性チェックの結果に基づき現行サービスに処理を実行する、前記要求送信モジュールと；を備え、
前記サービス処理参照情報は、データベース内での前記現行サービスの関連データの格納場所を特定するために、前記サービス処理側により用いられ、前記同一のサービスイベントについて繰り返し送信されたサービス処理要求は前記同一のサービス処理参照情報を含む、
サービス処理デバイス。
［第１１の局面］
前記サービス処理参照情報は時刻情報であり；
前記要求生成モジュールは、前記サービス処理要求が前記同一のサービスイベントについて初めて送信された場合に現在時刻情報を取得し、前記時刻情報を前記サービス処理要求に書き込むように構成され、前記サービスイベントについて再送される各々の後続の要求は前記時刻情報を含む；
第１０の局面に記載のデバイス。
［第１２の局面］
前記サービス処理参照情報はデータベース実行モード情報であり、データベースモードは正常モードとフェイルオーバモードとを含み；
前記要求生成モジュールは、前記サービス処理要求が前記同一のサービスイベントについて初めて送信された場合に、前記サービス処理側により現在用いられているデータベース実行モード情報を取得し、前記データベース実行モード情報を前記サービス処理要求へ書き込むように構成されており、前記サービスイベントについて再送される各々の後続の要求は前記データベース実行モード情報を含む、
第１０の局面に記載のデバイス。
［第１３の局面］
サービス処理デバイスであって：
サービス処理側に適用され：
サービス要求側により送信されるサービス処理要求を受信するように構成された要求受信モジュールであって、前記サービス処理要求はサービス処理参照情報を備える、前記要求受信モジュールと；
前記要求に含まれる前記サービス処理参照情報に基づいて、対応する格納場所を特定し、前記特定した格納場所に冪等性チェックを実行し、前記冪等性チェックの結果に基づいて現行サービスに処理を実行するように構成されたサービス処理モジュールと；を備え、
前記サービス処理参照情報は、データベース内での前記現行サービスの関連データの格納場所を特定するために、前記サービス処理側により用いられ、前記同一のサービスイベントについて前記サービス要求側により繰り返し送信されるサービス処理要求は前記同一のサービス処理参照情報を含む、
サービス処理デバイス。
［第１４の局面］
前記サービス処理参照情報は時刻情報であり；
前記サービス処理モジュールは、前記要求に含まれる前記時刻情報に基づいて、前記時刻情報に対応する時刻ディメンションデータパーティションテーブルを特定し、前記特定したデータパーティションテーブルに冪等性チェックを実行し、前記冪等性チェックの結果に基づいて前記現行サービスに処理を実行するように構成された、
第１３の局面に記載のデバイス。
［第１５の局面］
前記サービス処理参照情報はデータベース実行モード情報であり、データベースモードは正常モードとフェイルオーバモードとを含み；
前記サービス処理モジュールは、前記要求に含まれる前記データベース実行モード情報に基づいて、前記データベース実行モード情報に対応するデータベースを特定し、前記特定したデータベースに冪等性チェックを実行し、前記冪等性チェックの結果に基づいて前記現行サービスに処理を実行するように構成された、
第１３の局面に記載のデバイス。
［第１６の局面］
サービス処理システムであって：
サービス要求側デバイスとサービス処理側デバイスとを備え：
前記サービス要求側デバイスは：
サービス処理参照情報を含むサービス処理要求を生成するように構成された要求生成モジュールと；
前記サービス処理要求を、サービス処理側へ送信するように構成された要求送信モジュールと；を備え、
前記サービス処理参照情報は、データベース内での現行サービスの関連データの格納場所を特定するために、前記サービス処理側によって用いられ、前記同一のサービスイベントについて繰り返し送信されたサービス処理要求は前記同一のサービス処理参照情報を含み；
前記サービス処理側デバイスは：
前記サービス要求側により送信される前記サービス処理要求を受信するように構成された要求受信モジュールと；
前記要求に含まれる前記サービス処理参照情報に基づいて、対応する格納場所を特定し、前記特定した格納場所に冪等性チェックを実行し、前記冪等性チェックの結果に基づいて前記現行サービスに処理を実行するように構成されたサービス処理モジュールと；を備える、
サービス処理システム。